(57)【要約】【課題】  ズボンとシューズが一体に連結された水作業及び釣り用ウェーダーにおいて、ズボンとシューズとに分離し、必要に応じて容易に着脱が行える上下着脱式ウェーダーを提供すること。【解決手段】  シューズ１の上部附近の外周に、ゴムからなる開閉自在の保持帯２を配置し、ズボン４の裾部には伸縮自在の装着帯３を連結し、装着帯３の下端部に設けた凸部１０と前記保持帯２の内側面に施した凹溝１１とが係合して着脱を容易にし、上下の抜け止めと、水の浸入を防ぐことができる。【選択図】        図１
2008121156.tif 000002
【特許請求の範囲】
【請求項１】
シューズと、前記シューズと着脱自在としたズボンからなる着脱式ウェーダーにおいて、前記シューズ上部履き口附近の外周にゴムからなる開閉自在の保持帯を配置し、前記保持帯の密閉時における内側開閉部に凹溝を施し、前記ズボンの裾部に伸縮自在の装着帯を連結し、前記装着帯の下端部の周囲に凸部を設け、前記凸部と前記凹溝が係合することで、シューズとズボンの抜け止め及び、水の浸入を防ぐ着脱式ウェーダー。
【請求項２】
前記保持帯の上縁部に前記保持帯の開閉をたすけるツマミを設けた請求項１に記載の着脱式ウェーダー。
【発明の詳細な説明】
【技術分野】
【０００１】
本発明は、水作業用及び釣用ウェーダーの構造に関するものである。
【背景技術】
【０００２】
従来の水作業用ウェーダー、あるいは釣用ウェーダーにおいては、図５で示すようにズボンとシューズが一体的に連結されており、サイズにおいてもウェーダー本体は、シューズのサイズに比例して、規格化されている。
【０００３】
このため、着用する人の体型に合わせる目的で、ズボンの裾部と股を引きあげる工夫もなされている（例えば特許文献１参照）また、上下着脱式水長靴の考案として、タイツ式細身のズボンと、履口が細身タイプの専用シューズを重ねて折り返えす方法もみられる（例えば特許文献２参照）
【０００４】
【特許文献１】特開平１２−２５６９０８号
【特許文献２】実開昭６１−１４７００３号
【発明の開示】
【発明が解決しようとする課題】
【０００５】
ズボンとシューズが一体のウェーダーにおいては、下半身が水浸しになることや、水中の作業等を目的として着用するものであり、前記作業が終了したとき、あるいは、さほど水が溢れない所で作業を行うときは、通常の長靴の方が好ましく、その都度履きかえるのが面倒であった。
【０００６】
また、サイズにおいても規格化されているため、標準の体型以外の人にとっては着用しずらい面があり、ましてや子供用の商品については未だ製造されていないのが現状である。
【０００７】
本発明は、ズボンとシューズを分離し、シューズにおいては日常、降雨時や降雪時に長靴として、また釣り用として常用し、必要に応じてズボンを装着することで、従来のウェーダーとかわらぬはたらきをなすことを目的とするものである。
【課題を解決するための手段】
【０００８】
上記目的を達成するため、シューズ上部履き口附近の外周にゴムからなる開閉自在の保持帯を配置し、前記保持帯の密閉時における内側、開閉部に凹溝を施し、ズボンの裾部に伸縮自在の装着帯を連結し、前記装着帯の下端部の周囲に凸部を設け、前記凸部と前記凹溝が係合することで、シューズとズボンの抜け止めと水の浸入を防ぐことができる。
【０００９】
前記保持帯は開閉自在であるがズボンを装着せず、シューズのみ使用するときは、ゴミ等が侵入しないよう密着状態にあるため、前記保持帯上縁部に開閉をたすけるためのツマミを設ける。
【発明の効果】
【００１０】
上述したように、本発明の着脱式ウェーダーにおいては、一般的に降雨時や降雪時に、または水が溢れることのない場所ではシューズのみを着用することが圧倒的に多いため、前記シューズを常用し、ズボンは災害など緊急時のために備えておけば素早く対応でき便利である。
【００１１】
また、シューズとズボンを個別に調達できるようになれば、前記シューズはもとより前記ズボンにおいても自分の体型に合わせやすくなり、破損または消耗したときも片方のみ調達でき経済的である。
【００１２】
従来の一体式ウェーダーにおいては、使用上の強度を重視して製造されているため、ズボンの生地も厚く重量感もあり大人向けに限られているが、本発明のズボンの場合は通常の雨合羽の生地に前述の装着帯を連結したものであり、コストも下げることもでき、子供向けも生産しやすくなる。
【００１３】
したがって、着用感も軽快になり、サイズが多少大きめであっても、だぶついて歩行しにくいという問題も解消される。
【発明を実施するための最良の形態】
【００１４】
以下本発明の実施の形態を図１〜図４に基づいて説明する。
【００１５】
図においては、１はシューズ本体で、上部附近の外周には、硬質ゴムによる保持板６が囲繞して張り付けられ、前記保持板６の外周には、天然ゴム等からなる保持帯２が配置されている。前記保持帯２は密閉時における内側周囲の側面に凹溝１１が施されており、前記凹溝１１より下方が前記保持板６と連結されているため、前記保持帯２の上方部は開閉自在となる。また前記保持帯２の上縁部には開閉をたすける保持帯ツマミ２１が設けられている。
【００１６】
また、４はズボン本体であり、その裾部には伸縮自在の天然ゴム等による装着帯３が、前記ズボン本体４と連結部５によって周囲を連結されており、前記装着帯３の下端部周囲には同質ゴムによる凸部１０が一体的に形成されている。
【００１７】
次に上記構成の動作を説明する。
図２（a）で示すように、保持帯２の上縁部の前後及び左右附近に設けられた保持帯ツマミ２１を外に開きながら前記保持帯２を下方に半転させると、前記保持帯２は全開となる。
【００１８】
次に装着帯３を伸ばしながら、円周を広げ保持板６に被ぶせていき、凸部１０の先端が凹溝１１の屈折面にあたる位置で止めると、前記装着帯３の内側面と前記保持板６の外周面は密着される。そして前記保持帯２を開いたときと逆方向に反転させると、図２（ｂ）及び図３で示すように凸部１０が凹溝１１と係合して、ズボンとシューズの抜け止めとなり、水の浸入を防ぐことができる。
【００１９】
また、硬質のゴム等により形成された前記保持板６においては、シューズ本体の履き口の軟らかなゴム質によるたわみを少なくし、剛性をもたせて、前記装着帯３の密着度を高め、且つ装着しやすくするはたらきをなすものである。
【００２０】
また、水作業等に係わらず、土砂等に埋まるような作業のときは、図４で示すようにズボン本体４を連結部５より延長したガード帯２０を設け、前記保持帯２の下方附近でひも、またはバンドなどで縛り、前記保持帯２及び前記装着帯３を保護するタイプも提供することができる。
【図面の簡単な説明】
【００２１】
【図１】本発明の実施例を示す斜視図
【図２】（ａ）上・下装着前の図１におけるＡ−Ａ線一部断面図          （ｂ）上・下装着後の図１におけるＢ−Ｂ線一部断面図
【図３】図２（ｂ）における装着部拡大図
【図４】本発明のガード帯付タイプの実施例を示す一部断面図
【図５】（ａ）従来のウェーダーにおけるウエストタイプの斜視図          （ｂ）従来のウェーダーにおけるチェストタイプの斜視図
【符号の説明】
【００２２】
１      シューズ本体
２      保持帯
３      装着帯
４      ズボン本体
５      連結部
６      保持板
１０      凸部
１１      凹溝
２０      ガード帯
２１      保持帯ツマミ
【図１】
2008121156.tif 000003
【図２】
2008121156.tif 000004
【図３】
2008121156.tif 000005
【図４】
2008121156.tif 000006
【図５】
2008121156.tif 000007
【手続補正書】
【提出日】平成19年7月31日(2007.7.31)
【手続補正１】
【補正対象書類名】特許請求の範囲
【補正対象項目名】請求項１
【補正方法】変更
【補正の内容】
【請求項１】
シューズと、前記シューズと着脱自在としたズボンからなる着脱式ウエーダーにおいて、前記シューズ上部履き口附近の外周に沿って硬質ゴムからなる保持板を装着部の台座として配置し、前記保持板の外周には天然ゴムからなる開閉自在の保持帯を連結し、前記保持帯の内側円周にコの字状の凹溝を施して前記装着部を備えたシューズと、前記ズボンの裾部に伸縮自在の装着帯を連結し、前記装着帯の下端縁部の外周に沿って前記凹溝と一致的にかん合する凸部を設け、前記ズボンの裾部が前記保持板に圧着されると同時に前記凸部と前記凹部が一致的にかん合し、係合することで上下の抜け止めと水の浸入を防ぐ着脱式ウエーダー。